(57)【要約】【課題】表示領域から引き出された複数の引出配線の配線抵抗値を低減するとともに引出配線の配線抵抗値差を低減することができる液晶表示装置を提供する。【解決手段】液晶表示装置１であって、複数のゲート配線５に接続されて表示領域３から張出領域４に引き出された複数のゲート引出配線５ａと、ゲート引出配線５ａに第１の絶縁層７ａを介して重なるように張出領域４に延在して位置するゲート配線パターン９がそれぞれ設けられており、ゲート引出配線５ａに重なるように配置された第１のコンタクトホール１１ａおよびゲート配線パターン９に重なるように配置された第２のコンタクトホール１１ｂを有し、ゲート配線パターン９は、第１のコンタクトホール１１ａおよび第２のコンタクトホール１１ｂを介してゲート引出配線５ａに電気的に接続されている。【選択図】図４
2013246209.tif 000002
【特許請求の範囲】
【請求項１】
互いに対向して配置された、外周部の内側に表示領域を有するとともに一方の前記外周部に他方の外周から外側に張り出した張出領域を有する一対の透明基板と、該一対の透明基板の対向する面のうち一方の面の前記表示領域に配置された複数のゲート配線と、該複数のゲート配線に交差するように第１の絶縁層を介して配置された複数のソース配線と、該複数のソース配線を覆うように設けられた第２の絶縁層と、前記複数のゲート配線に接続されて前記表示領域から前記張出領域に引き出された、前記第１の絶縁層に覆われた複数のゲート引出配線とを備えた液晶表示装置において、
前記複数のゲート引出配線のうち並びの中央部よりも外側に位置する前記ゲート引出配線に前記第１の絶縁層を介して重なるように、一端が前記張出領域側に位置する他方の前記透明基板の外周よりも内側に位置するとともに他端が前記張出領域に延在して位置するゲート配線パターンがそれぞれ設けられており、前記ゲート配線パターンの長手方向の両側に前記第１の絶縁層および前記第２の絶縁層を貫通して前記ゲート引出配線に重なるようにそれぞれ配置された、第１の導体を内部に有する複数の第１のコンタクトホールと、それぞれの前記第１のコンタクトホールに対応して該第１のコンタクトホールの内側に前記第２の絶縁層を貫通して前記ゲート配線パターンに重なるようにそれぞれ配置された、前記第１の導体に電気的に接続される第２の導体を内部に有する複数の第２のコンタクトホールとが設けられているとともに、前記一方の面に互いに対応する前記第１の導体と前記第２の導体とを電気的に接続するための接続部がそれぞれ配設されており、前記ゲート配線パターンは、前記第１の導体、前記第２の導体および前記接続部を介して対応する前記ゲート引出配線に電気的に接続されていることを特徴とする液晶表示装置。
【請求項２】
請求項１に記載の液晶表示装置であって、
少なくとも一方の前記接続部を覆うように保護膜が設けられていることを特徴とする液晶表示装置。
【請求項３】
互いに対向して配置された、外周部の内側に表示領域を有するとともに一方の前記外周部に他方の外周から外側に張り出した張出領域を有する一対の透明基板と、該一対の透明基板の対向する面のうち一方の面の前記表示領域に配置された複数のゲート配線と、該複数のゲート配線に交差するように第１の絶縁層を介して配置された複数のソース配線と、該複数のソース配線を覆うように設けられた第２の絶縁膜と、前記複数のゲート配線に接続されて前記表示領域から前記張出領域に引き出された、前記第１の絶縁層に覆われた複数のゲート引出配線とを備えた液晶表示装置において、
前記複数のゲート引出配線のうち並びの中央部よりも外側に位置する前記ゲート引出配線に前記第１の絶縁層を介して重なるように、一端および他端が前記張出領域側に位置する他方の前記透明基板の外周よりも内側に位置するゲート配線パターンがそれぞれ設けられており、前記ゲート配線パターンの長手方向の両側に前記第１の絶縁層および前記第２の絶縁層を貫通して前記ゲート引出配線に重なるようにそれぞれ配置された、第１の導体を内部に有する複数の第１のコンタクトホールと、それぞれの前記第１のコンタクトホールに対応して該第１のコンタクトホールの内側に前記第２の絶縁層を貫通して前記ゲート配線パターンに重なるようにそれぞれ配置された、前記第１の導体に電気的に接続される第２の導体を内部に有する複数の第２のコンタクトホールとが設けられているとともに、前記一方の面に互いに対応する前記第１の導体と前記第２の導体とを電気的に接続するための接続部がそれぞれ配設されており、前記ゲート配線パターンは、前記第１の導体、前記第２の導体および前記接続部を介して対応する前記ゲート引出配線に電気的に接続されていることを特徴とする液晶表示装置。
【発明の詳細な説明】
【技術分野】
【０００１】
本発明は、携帯電話、デジタルカメラあるいは携帯型情報端末などの様々な用途に用いられる液晶表示装置に関する。
【背景技術】
【０００２】
液晶表示装置は、互いに対向して配置されているとともに、一方の透明基板の外周部が他方の透明基板の外周から張り出した張出領域を有する一対の透明基板のそれぞれの対向面に配向膜が設けられ、周縁部に一対の透明基板を貼り合わせるシール材を備えており、配向膜同士の間に液晶が配設されている。そして、透明基板上には駆動用半導体素子と電気的に接続するために表示領域から張出領域にかけて複数の引出配線が設けられており、この複数の引出配線間の配線抵抗値差を低減して表示品質を向上するために引出配線の線幅または線長を調整している。このような液晶表示装置としては、例えば、特許文献１に開示されているものがある。
【先行技術文献】
【特許文献】
【０００３】
【特許文献１】特開平３−２８９６２６号公報
【発明の概要】
【発明が解決しようとする課題】
【０００４】
しかしながら、特許文献１に開示された液晶表示装置では、引出配線の配線効率が低く、引出配線の長さが長くなるため配線抵抗値自体が大きくなるという問題点があった。
【０００５】
本発明は、上記の問題点に鑑みてなされたものであり、その目的は、表示領域から張出領域に引き出された複数の引出配線の配線抵抗値を低減するとともに引出配線間の配線抵抗値差を低減することができる液晶表示装置を提供することにある。
【課題を解決するための手段】
【０００６】
本発明の液晶表示装置は、互いに対向して配置された、外周部の内側に表示領域を有するとともに一方の前記外周部に他方の外周から外側に張り出した張出領域を有する一対の透明基板と、該一対の透明基板の対向する面のうち一方の面の前記表示領域に配置された複数のゲート配線と、該複数のゲート配線に交差するように第１の絶縁層を介して配置された複数のソース配線と、該複数のソース配線を覆うように設けられた第２の絶縁層と、前記複数のゲート配線に接続されて前記表示領域から前記張出領域に引き出された、前記第１の絶縁層に覆われた複数のゲート引出配線とを備えた液晶表示装置において、前記複数のゲート引出配線のうち並びの中央部よりも外側に位置する前記ゲート引出配線に前記第１の絶縁層を介して重なるように、一端が前記張出領域側に位置する他方の前記透明基板の外周よりも内側に位置するとともに他端が前記張出領域に延在して位置するゲート配線パターンがそれぞれ設けられており、前記ゲート配線パターンの長手方向の両側に前記第１の絶縁層および前記第２の絶縁層を貫通して前記ゲート引出配線に重なるようにそれぞれ配置された、第１の導体を内部に有する複数の第１のコンタクトホールと、それぞれの前記第１のコンタクトホールに対応して該第１のコンタクトホールの内側に前記第２の絶縁層を貫通して前記ゲート配線パターンに重なるようにそれぞれ配置された、前記第１の導体に電気的に接続される第２の導体を内部に有する複数の第２のコンタクトホールとが設けられているとともに、前記一方の面に互いに対応する前記第１の導体と前記第２の導体とを電気的に接続するための接続部がそれぞれ配設されており、前記ゲート配線パターンは、前記第１の導体、前記第２の導体および前記接続部を介して対応する前記ゲート
引出配線に電気的に接続されていることを特徴とするものである。
【０００７】
また、本発明の液晶表示装置は、互いに対向して配置された、外周部の内側に表示領域を有するとともに一方の前記外周部に他方の外周から外側に張り出した張出領域を有する一対の透明基板と、該一対の透明基板の対向する面のうち一方の面の前記表示領域に配置された複数のゲート配線と、該複数のゲート配線に交差するように第１の絶縁層を介して配置された複数のソース配線と、該複数のソース配線を覆うように設けられた第２の絶縁膜と、前記複数のゲート配線に接続されて前記表示領域から前記張出領域に引き出された、前記第１の絶縁層に覆われた複数のゲート引出配線とを備えた液晶表示装置において、前記複数のゲート引出配線のうち並びの中央部よりも外側に位置する前記ゲート引出配線に前記第１の絶縁層を介して重なるように、一端および他端が前記張出領域側に位置する他方の前記透明基板の外周よりも内側に位置するゲート配線パターンがそれぞれ設けられており、前記ゲート配線パターンの長手方向の両側に前記第１の絶縁層および前記第２の絶縁層を貫通して前記ゲート引出配線に重なるようにそれぞれ配置された、第１の導体を内部に有する複数の第１のコンタクトホールと、それぞれの前記第１のコンタクトホールに対応して該第１のコンタクトホールの内側に前記第２の絶縁層を貫通して前記ゲート配線パターンに重なるようにそれぞれ配置された、前記第１の導体に電気的に接続される第２の導体を内部に有する複数の第２のコンタクトホールとが設けられているとともに、前記一方の面に互いに対応する前記第１の導体と前記第２の導体とを電気的に接続するための接続部がそれぞれ配設されており、前記ゲート配線パターンは、前記第１の導体、前記第２の導体および前記接続部を介して対応する前記ゲート引出配線に電気的に接続されていることを特徴とするものである。
【発明の効果】
【０００８】
本発明の液晶表示装置によれば、表示領域から引き出された複数の引出配線の配線抵抗値を低減するとともに引出配線間の配線抵抗値差を低減することができるという効果を奏する。
【図面の簡単な説明】
【０００９】
【図１】第１の実施の形態に係る液晶表示装置の平面図である。
【図２】図１に示す液晶表示装置のゲート配線、ゲート引出配線の配置を示す平面図である。
【図３】図１に示す液晶表示装置のソース配線、ソース引出配線の配置を示す平面図である
【図４】（ａ）は、図１に示す液晶表示装置をＡ−Ａ線で切断した断面図、（ｂ）は（ａ）に示すＡ部の拡大図である。
【図５】第１の実施の形態に係る他の例の液晶表示装置の断面図である。
【図６】第１の実施の形態に係る他の例の液晶表示装置の断面図である。
【図７】第２の実施の形態に係る液晶表示装置の断面図である。
【発明を実施するための形態】
【００１０】
＜実施の形態１＞
以下、本発明の第１の実施の形態（実施の形態１という）に係る液晶表示装置１について、図１乃至図４を参照しながら説明する。
【００１１】
実施の形態１に係る液晶表示装置１は、図１乃至図４に示すような構成であり、互いに対向して配置された、外周部の内側に表示領域３を有するとともに一方の外周部に他方の外周から外側に張り出した張出領域４を有する一対の透明基板２（２ａ、２ｂ）と、一対の透明基板２の対向する面のうち一方の面の表示領域３に配置された複数のゲート配線５と、複数のゲート配線５に交差するように第１の絶縁層７ａを介して配置された複数のソ
ース配線６と、複数のソース配線６を覆うように設けられた第２の絶縁層７ｂと、複数のゲート配線５に接続されて表示領域３から張出領域４に引き出された、第１の絶縁層７ａに覆われた複数のゲート引出配線５ａとを備えた液晶表示装置１において、複数のゲート引出配線５ａのうち並びの中央部よりも外側に位置するゲート引出配線５ａに第１の絶縁層７ａを介して重なるように、一端が張出領域４側に位置する他方の透明基板２ｂの外周よりも内側に位置するとともに他端が張出領域４に延在して位置するゲート配線パターン９がそれぞれ設けられており、ゲート配線パターン９の長手方向の両側に第１の絶縁層７ａおよび第２の絶縁層７ｂを貫通してゲート引出配線５ａに重なるようにそれぞれ配置された、第１の導体１１ｃを内部に有する複数の第１のコンタクトホール１１ａと、それぞれの第１のコンタクトホール１１ａに対応して第１のコンタクトホール１１ａの内側に第２の絶縁層７ｂを貫通してゲート配線パターン９に重なるようにそれぞれ配置された、第１の導体１１ｃに電気的に接続される第２の導体１１ｄを内部に有する複数の第２のコンタクトホール１１ｂとが設けられているとともに、一方の面に互いに対応する第１の導体１１ｃと第２の導体１１ｄとを電気的に接続するための接続部１１ｅがそれぞれ配設されており、ゲート配線パターン９は、第１の導体１１ｃ、第２の導体１１ｄおよび接続部１１ｅを介して対応するゲート引出配線５ａに電気的に接続されている。
【００１２】
液晶表示装置１は、図１乃至図４に示すように、互いに対向して配置されて、外周部の内側に画像表示の際に画像が表示される表示領域３を有し、第１の透明基板２ａの外周部に第２の透明基板２ｂの外周から外側に張り出した張出領域４を有する一対の透明基板２を備えている。なお、液晶表示装置１は、第１の透明基板２ａの外周部の２辺に張出領域４を有しているが、張出領域４の形態はこれに限定されない。例えば、第１の透明基板２ａの外周部の1辺のみに張出領域４を有する形態であってもよい。
【００１３】
第１の透明基板２ａと第２の透明基板２ｂとの対向する面のうちの第１の透明基板２ａの面の表示領域３には、複数のゲート配線５が配置されている。そして、複数のソース配線６が、複数のゲート配線５に交差するように第１の絶縁層７ａを介して配置されている。複数のゲート引出配線５ａは、第１の絶縁層７ａに覆われており、複数のゲート配線５に接続されて表示領域３から引出領域４に引き出されている。また、第２の絶縁層７ｂが複数のソース配線６を覆うように設けられている。なお、第１の絶縁７ａおよび第２の絶縁層７ｂは、例えば、窒化ケイ素、酸化ケイ素等の材料からなる。
【００１４】
また、複数のソース引出配線６ａが、複数のソース配線６に接続されて第１の絶縁層７ａ上で表示領域３から引出領域４に引き出されている。なお、ゲート配線５とソース配線６との交差部の近傍には薄膜トランジスタが設けられている。
【００１５】
一対の透明基板２は、例えば、ガラス基板、プラスチック基板等の透光性を有する材料からなる。第１の透明基板２ａおよび第２の透明基板２ｂの対向面とは反対の外側面には偏光板（図示せず）が配設され、また、第１の透明基板２ａ側の偏光板の外側には光源装置（図示せず）が配設される。
【００１６】
液晶表示装置１では、図４に示すように、第１の透明基板２ａに設けられた画素電極３ａと共通電極３ｂとの間で電界を発生させて液晶（図示せず）中の液晶分子の方向を制御する横電界方式を採用しているが、この方式に限定されるものではなく、例えば、液晶表示装置１は、第１の透明基板２ａおよび第２の透明基板２ｂにそれぞれ透明電極を設けた縦電界方式を採用してもよい。
【００１７】
液晶表示装置１は、例えば、第１の透明基板２ａとして画素内に薄膜トランジスタが形成されたアレイ基板および第２の透明基板２ｂとしてカラーフィルタ基板からなる一対のガラス基板からなる透明基板２からなり、一対の透明基板２の周縁部に沿って設けられた
シール材８を介して第１の透明基板２ａと第２の透明基板２ｂとが貼り合わされている。シール材８の幅は、例えば、３００（μｍ）〜３０００（μｍ）である。なお、一対の透明基板２の間隔、すなわち、アレイ基板とカラーフィルタ基板とのセルギャップは、例えば、２（μｍ）〜８（μｍ）である。
【００１８】
一対の透明基板２のそれぞれの対向面には、図４に示すように、表示領域３に配向処理が施された配向膜３ｃが設けられており、配向膜３ｃ同士の間には液晶が配設されている。配向膜３ｃは、シール材８から離隔してシール材８の内側に設けられている。配向膜３ｃは、例えば、ポリイミド樹脂等の材料からなる。また、配向膜３ｃの膜厚は、例えば、０．０４（μｍ）〜０．１（μｍ）である。
【００１９】
また、配向膜３ｃは、液晶の分子を一定方向に配列させるために、ラビング布が設けられたラビングローラを回転させることによって第１の透明基板２ａおよび第２の透明基板２ｂに設けられた配向膜３ｃ上を一定の方向に擦る配向処理が施されている。
【００２０】
第１の透明基板２ａには、図１および図２に示すように、第２の透明基板２ｂと対向する面に、複数のゲート引出配線５ａは、複数のゲート配線５に接続されて表示領域３から張出領域４のゲート駆動用半導体素子搭載部１２ａまで引き出されて所定のパターンで設けられている。すなわち、ゲート引出配線５ａが表示領域３のゲート配線５から張出領域４に延在して設けられている。なお、ゲート引出配線５ａは、図２に示すように、ゲート配線５から引出領域４に向かって設けられている第１のゲート引出配線５ａ１と第１のゲート引出配線５ａ１からゲート駆動用半導体素子搭載部１２ａに向かって設けられている第２のゲート引出配線５ａ２からなる。
【００２１】
また、図１および図３に示すように、複数のソース引出配線６ａは、複数のソース配線６に接続されて表示領域３から張出領域４のソース駆動用半導体素子搭載部１２ｂまで引き出されて所定のパターンで設けられている。すなわち、ソース引出配線６ａは表示領域３のソース配線６から張出領域４に延在して設けられている。なお、ソース引出配線６ａは、図３に示すように、ソース配線６から引出領域４に向かって設けられている第１のソース引出配線６ａ１と第１のソース引出配線６ａ１からソース駆動用半導体素子搭載部１２ｂに向かって設けられている第２のソース引出配線６ａ２とからなる。
【００２２】
ゲート引出配線５ａは、表示領域３に配置されているゲート配線５に接続されて、液晶表示装置１を駆動するためにゲート電圧が印加される配線である。また、ソース引出配線６ａは、表示領域３に配置されているソース配線６に接続されて、画像表示をするために信号電圧が印加される配線である。
【００２３】
液晶表示装置１では、ゲート駆動用半導体素子搭載部１２ａ、ソース半導体素子搭載部１２ｂおよびフレキシブル基板搭載部１３がそれぞれ張出領域４に設けられている。ソース駆動用半導体素子搭載部１２ｂとフレキシブル基板搭載部１３との間は配線によって電気的に接続されている。また、引回配線１４が、ゲート駆動用半導体素子搭載部１２ａとフレキシブル基板搭載部１３との間を電気的に接続するために張出領域４内を引き回されて設けられている。なお、引回配線１４は、ゲート引出配線５ａと同じ層で設けても異なる層で設けてもよい。
【００２４】
また、第１の透明基板２ａのゲート駆動用半導体素子搭載部１２ａ、ソース駆動用半導体素子搭載部１２ｂおよびフレキシブル基板搭載部１３にはそれぞれコンタクトホールが形成されている。そして、コンタクトホールは、内部にＩＴＯ等の導体を有しており、接続パッド部１２ｃが、ゲート駆動用半導体素子（図示せず）、ソース駆動用半導体素子(
図示せず)およびフレキシブル基板（図示せず）との接続のために設けられている。なお
、コンタクトホールの内部の導体および接続パッド部１２ｃは同時に形成される。
【００２５】
そして、ゲート駆動用半導体素子搭載部１２ａには、液晶表示装置１のゲート配線５の駆動を制御するゲート駆動用半導体素子が導電性接合材料を介して接続パッド部１２ｃに電気的に接続される。また、ソース駆動用半導体素子搭載部１２ｂには、ソース配線６の駆動を制御するソース駆動用半導体素子が導電性接合材料を介して接続パッド部（図示せず）に電気的に接続される。さらに、フレキシブル基板搭載部１３には、ゲート駆動用半導体素子およびソース駆動用半導体素子を駆動する電圧を印加するフレキシブル基板が導電性接合材料を介して接続パッド部（図示せず）に電気的に接続される。
【００２６】
また、ゲート引出配線５ａはゲート配線５と同一の導電性材料からなり、また、ソース引出配線６ａはソース配線６と同一の導電性材料からなる。これらは、例えば、アルミニウム、モリブデン、チタン、ネオジウム、クロム、銅等またはこれらを含む合金からなる。液晶表示装置１の高精細化に伴い、ゲート引出配線５ａまたはソース引出配線６ａの線幅も狭くなっており、ゲート引出配線５ａおよびソース引出配線６ａの線幅は、例えば、２（μｍ）〜１０（μｍ）である。また、ゲート引出配線５ａおよびソース引出配線６ａは、例えば、０．１（μｍ）〜１（μｍ）の厚みを有している。引回配線１４の線幅は、配線の種類によって異なっており、制御信号系の配線幅は、例えば、２（μｍ）〜５０（μｍ）であり、電源系の配線幅は、例えば、１０（μｍ）〜３００（μｍ）である。また、引回配線１４は、例えば、０．１（μｍ）〜１（μｍ）の厚みを有している。
【００２７】
また、液晶表示装置１では、図１に示すように、引回配線１４は、ゲート駆動用半導体素子搭載部１２ａとフレキシブル基板搭載部１３との間を引き回される際に張出領域４内で直角に屈曲するように引き回されているが、これに限定されない。引回配線１４は、第１の透明基板２ａの角部の周辺部で斜めに屈曲するように引き回されていてもよい。
【００２８】
液晶表示装置１の配線５およびゲート引出配線５ａの配置状態を図２に示す。液晶表示装置１には、図２に示すように、複数のゲート引出配線５ａが、表示領域３に配置されている複数のゲート配線５から第１のゲート引出配線５ａ１および第２のゲート引出配線５ａ２でもって張出領域４のゲート駆動用半導体素子搭載部１２ａに向かって配置されている。
【００２９】
液晶表示装置１では、ゲート配線パターン９が、図４に示すように、複数のゲート引出配線５ａのうち並びの中央部のゲート引出配線５ａよりも外側に位置するゲート引出配線５ａに第１の絶縁層７ａを介して重なるように、そして、一端が張出領域４側に位置する第２の透明基板２ｂの外周よりも内側に位置するとともに、他端が張出領域４に延在して位置するようにゲート引出配線５ａに対応してそれぞれ設けられている。すなわち、ゲート配線パターン９は、平面透視してゲート引出配線５ａに重なるようにゲート引出配線５ａに対して１対１で対応するように設けられている。なお、複数のゲート引出配線５ａは、第１のゲート引出配線５ａ１および第２のゲート引出配線５ａ２からなる。
【００３０】
また、第１の絶縁層７ａおよび第２の絶縁層７ｂには、図４に示すように、複数の第１のコンタクトホール１１ａが、ゲート配線パターン９の長手方向の両側に第１の絶縁層７ａおよび第２の絶縁層７ｂを貫通して対応するゲート引出配線５ａに重なるように配置されてそれぞれ設けられている。そして、複数の第１のコンタクトホール１１ａは、第１の導体１１ｃを内部に有している。
【００３１】
そして、第２の絶縁層７ｂには、複数の第２のコンタクトホール１１ｂが、それぞれの第１のコンタクトホール１１ａに対応して第１のコンタクトホール１１ａの内側に第２の絶縁層７ｂを貫通してゲート配線パターン９に重なるように配置されてそれぞれ設けられ
ている。また、第２のコンタクトホール１１ｂは、第１の導体１１ｃに電気的に接続される第２の導体１１ｄを内部に有している。すなわち、第１のコンタクトホール１１ａと第２のコンタクトホール１１ｂとが一対となってコンタクトホール１１を形成しており、このコンタクトホール１１がゲート引出配線パターン９の長手方向の両側にそれぞれ設けられている。
【００３２】
液晶表示装置１では、接続部１１ｅが、図４に示すように、一方の透明基板２ａの表示領域３側の面に互いに対応して設けられた第１のコンタクトホール１１ａの第１の導体１１ｃと第２のコンタクトホール１１ｂの第２の導体１１ｄとを電気的に接続するためにそれぞれ配設されている。そして、ゲート配線パターン９は、第１の導体１１ｃ、第２の導体１１ｄおよび接続部１１ｅを介して対応するゲート引出配線５ａに電気的に接続されている。また、接続部１１ｅは、接続パッド部１２ｃを形成する際に同時に形成される。
【００３３】
すなわち、液晶表示装置１は、図４に示すように、ゲート配線パターン９の一端側に、第１のコンタクトホール１１ａとこの第１のコンタクトホール１１ａに対応して第１のコンタクトホール１１ａの内側に第２のコンタクトホール１１ｂとが設けられており、そして、接続部１１ｅが、これらのコンタクトホール１１の第１の導体１１ｃと第２の導体１１ｄとを電気的に接続するために配設されている。
【００３４】
さらに、ゲート配線パターン９の他端側にも、第１のコンタクトホール１１ａとこの第１のコンタクトホール１１ａに対応して第１のコンタクトホール１１ａの内側に第２のコンタクトホール１１ｂとが設けられており、そして、接続部１１ｅが、これらのコンタクトホール１１の内部の第１の導体１１ｃと第２の導体１１ｄとを電気的に接続するために配設されている。
【００３５】
そして、ゲート配線パターン９は、一端側および他端側の両側の２箇所に設けられたコンタクトホール１１によって、第１の導体１１ｃ、第２の導体１１ｄおよび接続部１１ｅを介して対応するゲート引出配線５ａに２箇所で電気的に接続されている。
【００３６】
液晶表示装置１は、ゲート配線パターン９は、図４に示すように、ゲート配線パターン９の長手方向の両側に設けられた２箇所のコンタクトホール１１を介してゲート引出配線５ａに電気的に接続されている。ここで、ゲート配線パターン９の他端側に設けられたコンタクトホール１１では、第１の導体１１ｃと第２の導体１１ｄとを電気的に接続するための接続部１１ｅが、ゲート駆動用半導体素子搭載部１２ａの一方の接続パッド部１２ｃを兼ねている。すなわち、接続部１１ｅが、ゲート駆動用半導体素子搭載部１２ａの接続パッド部１２ｃの機能を兼ねている。
【００３７】
また、ゲート配線パターン９は、一端が張出領域４に位置する第２の透明基板２ｂの外周よりも内側に位置するとともに、一端側に設けられたコンタクトホール１１の接続部１１ｅが第２の透明基板２ｂの外周とシール材８との間に設けられていてもよい。
【００３８】
液晶表示装置１は、図４に示すように、他端側に設けられたコンタクトホール１１の接続部１１ｅが接続パッド部１２ｃを兼ねているが、これに限らない。例えば、液晶表示装置１Ａは、図５に示すように、コンタクトホール１１をゲート配線パターン９の長手方向の両側の２箇所に設けるとともに、ゲート駆動用半導体素子搭載部１２ａの接続パッド部１２ｃは別個に設けてもよい。この場合には、製造プロセスで接続部１１ｅが傷つくのを抑制するために、接続部１１ｅを覆うように保護膜１０を設けてもよい。
【００３９】
保護膜１０は、例えば、アクリル系樹脂、ウレタン系樹脂、シリコン系樹脂またはエポキシ系樹脂等の材料からなる。また、保護膜１０の上に、有機絶縁膜を形成してもよい。
保護膜１０の厚みは、例えば、１（μｍ）〜５（μｍ）である。なお、保護膜１０は、単層で形成されているが、これに限らず、複数層で形成されてもよい。
【００４０】
また、ゲート配線パターン９は、第１の透明基板２ａにソース配線６を形成する際に同一工程で同時に形成することができる。
【００４１】
複数のゲート引出配線５ａのうち中央部のゲート引出配線５ａとは、ゲート引出配線５ａの本数が奇数本の場合には中央部に位置する１本のゲート引出配線５ａを意味する。また、ゲート引出配線５ａの本数が偶数本の場合には中央部に位置する２本のゲート引出配線５ａを意味する。
【００４２】
液晶表示装置１において所望されるゲート引出配線５ａの配線抵抗値またはゲート引出配線５ａ間の配線抵抗値差によって、複数のゲート引出配線５ａのうち中央部のゲート引出配線５ａよりも外側に位置する全てのゲート引出配線５ａに対してゲート配線パターン９を設けてもよい。
【００４３】
また、液晶表示装置１において所望されるゲート引出配線５ａの配線抵抗値またはゲート引出配線５ａ間の配線抵抗値差によって、複数のゲート引出配線５ａのうち中央部のゲート引出配線５ａよりも外側に位置する一部のゲート引出配線５ａに対してゲート配線パターン９を設けてもよい。
【００４４】
すなわち、どの位置のゲート引出配線５ａに第１の絶縁層７ａを介してゲート配線パターン９を設けるかは、液晶表示装置１において所望されるゲート引出配線５ａの配線抵抗値またはゲート引出配線５ａ間の配線抵抗値差によって適宜選択される。例えば、中央部に位置するゲート引出配線５ａと外側に位置するゲート引出配線５ａとでは配線長が大きく異なり配線抵抗値差が大きいので、ゲート引出配線５ａのうち外側に位置する配線長の長い複数のゲート引出配線５ａにゲート配線パターン９を設けて、ゲート引出配線５ａの配線抵抗値またはゲート引出配線５ａ間の配線抵抗値差を低減することができる。
【００４５】
なお、ゲート配線パターン９の配線パターンの長さおよび配線パターンの幅は、ゲート引出配線５ａが所望の配線抵抗値または配線抵抗値差となるように適宜選択される。
【００４６】
液晶表示装置１では、ゲート配線パターン９が、複数のゲート引出配線５ａのうち並びの中央部のゲート引出配線５ａよりも外側に位置するゲート引出配線５ａに第１の絶縁層７ａを介して重なるように設けられ、ゲート引出配線５ａに電気的に接続されているため、ゲート引出配線５ａは配線抵抗値が低減される。したがって、表示領域３から張出領域４に引き出された複数のゲート引出配線５ａの配線抵抗値自体を低減するとともに、複数のゲート引出配線５ａ間の配線抵抗値差を低減することができる。これによって、液晶表示装置１は、表示品位を向上させることができる。
【００４７】
また、ゲート配線パターン９は、第１の透明基板２ａの第１の絶縁層７ａにソース配線６と同一材料でもって同一工程で同時に形成することができるので、製造プロセスを増加せずに配線抵抗値または配線抵抗値差を低減することができる。
【００４８】
また、液晶表示装置１では、接続部１１ｅが、ゲート配線パターン９の他端側に設けられたコンタクトホール１１の第１の導体１１ｃと第２の導体１１ｄとを電気的に接続しており、さらに、ゲート駆動用半導体素子搭載部１２ａの一方の接続パッド部１２ｃを兼ねている。これによって、接続部１１ｅはゲート駆動用半導体素子搭載部１２ａに搭載されるゲート駆動用半導体素子によって覆われることになる。したがって、液晶表示装置１は、接続部１１ｅがゲート駆動用半導体素子で覆われることによってゲート配線パターン９
の他端側に設けられた接続部１１ｅの保護性を向上させることができる。
【００４９】
ここで、第１の実施の形態に係る他の例の液晶表示装置１Ｂについて、図６を参照しながら説明する。
【００５０】
液晶表示装置１Ｂは、図６に示すような構成であり、第１の実施の形態の液晶表示装置１と比較して、ゲート配線パターン９は、第１の透明基板２ａのゲート引出配線５ａに第１の絶縁層７ａを介して重なるように設けられているが、そのゲート配線パターン９の形成位置が異なっている。
【００５１】
液晶表示装置１Ｂでは、ゲート配線パターン９は、図６に示すように、複数のゲート引出配線５ａのうち並びの中央部のゲート引出配線９よりも外側に位置するゲート引出配線５ａに第１の絶縁層７ａを介して重なるように、一端が張出領域４側に位置する第２の透明基板２ｂの外周よりも内側であって、張出領域４側に位置する第２の透明基板２ｂの外周とシール材８との間に位置するとともに、他端が張出領域４に延在して位置している。そして、ゲート配線パターン９が、ゲート引出配線５ａに対応してそれぞれ設けられている。すなわち、ゲート配線パターン９は、平面透視してゲート引出配線５ａに重なるようにゲート引出配線５に対して１対１で設けられている。
【００５２】
また、液晶表示装置１Ｂは、製造プロセスで接続部１１ｅが傷つくのを抑制するために、接続部１１ｅを覆うように保護膜１０を設けてもよい。
【００５３】
液晶表示装置１Ｂでは、一端側に設けられたコンタクトホール１１の接続部１１ｅが、張出領域４側に位置する第２の透明基板２ｂの外周よりも内側に位置するように設けられているため、製造プロセスで接続部１１ｅが傷ついたり、クラックが発生したりするのを抑制することができる。したがって、一端側に設けられたコンタクトホール１１の接続部１１ｅに対する保護性が向上する。
【００５４】
本発明は上述の第１の実施の形態に限定されるものではなく、本発明の要旨を逸脱しない範囲において種々の変更、改良等が可能である。以下、第２の実施の形態について説明する。なお、第２の実施の形態に係る液晶表示装置のうち、第１の実施形態に係る液晶表示装置１と同様な部分については、同一の符号を付して適宜説明を省略する。
【００５５】
＜実施の形態２＞
以下、本発明の第２の実施の形態（実施の形態２という）に係る液晶表示装置１Ｃについて、図７を参照しながら説明する。
【００５６】
実施の形態２に係る液晶表示装置１Ｃは、図７に示すような構成であり、互いに対向して配置された、外周部の内側に表示領域３を有するとともに一方の外周部に他方の外周から外側に張り出した張出領域４を有する一対の透明基板２（２ａ、２ｂ）と、一対の透明基板２の対向する面のうち一方の面の表示領域３に配置された複数のゲート配線５と、複数のゲート配線５に交差するように第１の絶縁層７ａを介して配置された複数のソース配線６と、複数のソース配線６を覆うように設けられた第２の絶縁膜７ｂと、複数のゲート配線５に接続されて表示領域３から張出領域４に引き出された、第１の絶縁層７ａに覆われた複数のゲート引出配線５ａとを備えた液晶表示装置１Ｃにおいて、複数のゲート引出配線５ａのうち並びの中央部よりも外側に位置するゲート引出配線５ａに第１の絶縁層７ａを介して重なるように、一端および他端が張出領域４側に位置する他方の透明基板２の外周よりも内側に位置するゲート配線パターン９がそれぞれ設けられており、ゲート配線パターン９の長手方向の両側に第１の絶縁層７ａおよび第２の絶縁層７ｂを貫通してゲート引出配線５ａに重なるようにそれぞれ配置された、第１の導体１１ｃを内部に有する複
数の第１のコンタクトホール１１ａと、それぞれの第１のコンタクトホール１１ａに対応して第１のコンタクトホール１１ａの内側に第２の絶縁層７ｂを貫通してゲート配線パターン９に重なるようにそれぞれ配置された、第１の導体１１ｃに電気的に接続される第２の導体１１ｄを内部に有する複数の第２のコンタクトホール１１ｂとが設けられているとともに、一方の面に互いに対応する第１の導体１１ｃと第２の導体１１ｄとを電気的に接続するための接続部１１ｅがそれぞれ配設されており、ゲート配線パターン９は、第１の導体１１ｃ、第２の導体１１ｄおよび接続部１１ｅを介して対応するゲート引出配線５ａに電気的に接続されている。
【００５７】
液晶表示装置１Ｃでは、ゲート配線パターン９は、図７に示すように、複数のゲート引出配線５ａのうち並びの中央部のゲート引出配線５ａよりも外側に位置するゲート引出配線５ａに第１の絶縁層７ａを介して重なるように、一端および他端が張出領域４側に位置する第２の透明基板２ｂの外周よりも内側に位置しており、ゲート引出配線５ａに対応してそれぞれ設けられている。すなわち、ゲート配線パターン９は、平面透視してゲート引出配線５ａに重なるようにゲート引出配線５ａに対して１対１で対応するように設けられている。
【００５８】
すなわち、液晶表示装置１Ｃでは、図７に示すように、ゲート配線パターン９の一端および他端が張出領域４側に位置する第２の透明基板２ｂの外周よりも内側であって、ゲート配線パターン９の一端はシール材８よりも内側に位置し、他端は張出領域４側に位置する他方の透明基板２の外周とシール材８との間に位置している。
【００５９】
このように液晶表示装置１Ｃでは、ゲート配線パターン９およびコンタクトホール１１の接続部１１ｅが、張出領域４側に位置する第２の透明基板２ｂの外周よりも内側に位置するように設けられているため、製造プロセスでゲート配線パターン９または接続部１１ｅが傷つくのを抑制することができる。
【００６０】
また、液晶表示装置１Ｃは、張出領域４を形成するために第２の透明基板２ｂが分断されるが、この分断時の衝撃が第１の透明基板２ａに対して影響しやすく、分断時の衝撃によってゲート配線パターン９または接続部１１ｅにクラック等が発生したりする虞がある。また、液晶表示装置１Ｃの高精細化に伴い配線幅が狭くなると、ゲート配線パターン９に断線等が発生したりする虞がある。
【００６１】
しかしながら、液晶表示装置１Ｃでは、ゲート配線パターン９およびコンタクトホール１１の接続部１１ｅが分断ラインとなる他方の透明基板２ｂの外周よりも内側に位置するように設けられており、分断ラインの下方にはゲート配線パターン９および接続部１１ｅが設けられていないので、分断時の衝撃によってゲート配線パターン９または接続部１１ｅにクラックや断線等が発生するのを抑制することができる。したがって、ゲート配線パターン９または接続部１１ｅに対する配線保護性が向上する。なお、分断時の衝撃は、ガラス基板をダイヤモンドなどの超硬材を用いて分断ラインに沿って引っかき、引っかいた部分で分断するためにガラス基板を叩くことで発生する。
【００６２】
本発明は、上述した実施の形態および他の例に特に限定されるものではなく、本発明の範囲内で種々の変更および改良が可能である。
【符号の説明】
【００６３】
１、１Ａ、１Ｂ、１Ｃ  液晶表示装置
２  透明基板
２ａ  第１の透明基板
２ｂ  第２の透明基板
３  表示領域
３ａ  画素電極
３ｂ  共通電極
３ｃ  配向膜
４  張出領域
５  ゲート配線
５ａ  ゲート引出配線
５ａ１  第１のゲート引出配線
５ａ２  第２のゲート引出配線
６  ソース配線
６ａ  ソース引出配線
６ａ１  第１のソース引出配線
６ａ２  第２のソース引出配線
７ａ  第１の絶縁層
７ｂ  第２の絶縁層
８  シール材
９  ゲート配線パターン
１０  保護膜
１１  コンタクトホール
１１ａ  第１のコンタクトホール
１１ｂ  第２のコンタクトホール
１１ｃ  第１の導体
１１ｄ  第２の導体
１１ｅ  接続部
１２ａ  ゲート駆動用半導体素子搭載部
１２ｂ  ソース駆動用半導体素子搭載部
１２ｃ  接続パッド部
１３  フレキシブル基板搭載部
１４  引回配線
【図１】
2013246209.tif 000003
【図２】
2013246209.tif 000004
【図３】
2013246209.tif 000005
【図４】
2013246209.tif 000006
【図５】
2013246209.tif 000007
【図６】
2013246209.tif 000008
【図７】
2013246209.tif 000009